(57)【要約】【課題】熱交換器の取付板の外れを防止する。【解決手段】熱交換器は前側熱交換器１２と後側熱交換器１３を逆Ｖ字形に配置すると共に、熱交換器の一端に備えたエンドプレート１２ｂは取付板１５にネジ止めされたのち前記本体ベース２に固定され、熱交換器の他端に備えたエンドプレートａは取付板１７に摺動自在に係合したのち本体ベースに固定すると共に、前記熱交換器と左右の取付板の下方にはドレンパン２２を設け、このドレンパンと左右の取付板１５・１７との接触面のドレンパン側に突起２６を設けたする。【選択図】図７
2009192086.tif 000002
【特許請求の範囲】
【請求項１】
本体ベースと前面パネルから成る筐体内に熱交換器と送風ファンを備え、前記前面パネルの前面又は上面に吸込口を前面下部又は底面に吹出口を設け、前記送風ファンの作動により吸込口から吸い込んだ空気を熱交換器、送風ファン、吹出口の順に送風し、吹出口から吹き出す送風経路を備えた空気調和機に於いて、前記熱交換器は前側熱交換器と後側熱交換器を逆Ｖ字形に配置すると共に、熱交換器の一端に備えたエンドプレートは取付板にネジ止めされたのち前記本体ベースに固定され、熱交換器の他端に備えたエンドプレートは取付板に摺動自在に係合したのち本体ベースに固定すると共に、前記熱交換器と左右の取付板の下方にはドレンパンを設け、このドレンパンと左右の取付板との接触面のドレンパン側に突起を設けた事を特徴とする空気調和機。
【発明の詳細な説明】
【技術分野】
【０００１】
この発明は室内ユニットと室外ユニットを冷媒配管で接続して使用する、家庭用の空気調和機の室内ユニットに関するものである。
【背景技術】
【０００２】
従来例として、本出願人が先に出願を行った特開２００６−７１１１２号の空気調和機があげられる。この空気調和機では、本体ベースと前面パネルから成る筐体内に熱交換器と送風ファンを備え、前記前面パネルの前面又は上面に吸込口を前面下部又は底面に吹出口を設け、前記送風ファンの作動により吸込口から吸い込んだ空気を熱交換器、送風ファン、吹出口の順に送風し、吹出口から吹き出す送風経路を備えた空気調和機に於いて、前記熱交換器は前側熱交換器と後側熱交換器を逆Ｖ字形に配置すると共に、熱交換器の一端に備えた右エンドプレートは右取付板にネジ止めされたのち前記本体ベースにネジ止めされ、熱交換器の他端に備えた左エンドプレートは左取付板に摺動自在に係合したのち本体ベースにネジ止めすることで、組み立て作業を容易にするものだった。
【特許文献１】特開２００６−７１１１２号公報
【発明の開示】
【発明が解決しようとする課題】
【０００３】
ところでこの従来のものは、通常の使用では問題ないが、流通段階での輸送時等に荷扱いが特に乱暴であった場合、ネジ止めを省いた熱交換器と取付板の接続部分が外れて水漏れや空気漏れのおそれがあった。
【課題を解決するための手段】
【０００４】
この発明はこの点に着目し上記欠点を解決する為、特にその構成を、本体ベースと前面パネルから成る筐体内に熱交換器と送風ファンを備え、前記前面パネルの前面又は上面に吸込口を前面下部又は底面に吹出口を設け、前記送風ファンの作動により吸込口から吸い込んだ空気を熱交換器、送風ファン、吹出口の順に送風し、吹出口から吹き出す送風経路を備えた空気調和機に於いて、前記熱交換器は前側熱交換器と後側熱交換器を逆Ｖ字形に配置すると共に、熱交換器の一端に備えたエンドプレートは取付板にネジ止めされたのち前記本体ベースに固定され、熱交換器の他端に備えたエンドプレートは取付板に摺動自在に係合したのち本体ベースに固定すると共に、前記熱交換器と左右の取付板の下方にはドレンパンを設け、このドレンパンと左右の取付板との接触面のドレンパン側に突起を設けたものである。
【発明の効果】
【０００５】
この発明によれば、輸送時等に荷扱いが特に乱暴であった場合でも、熱交換器と取付板の接続部分をドレンパンに設けた突起にて取付板の動きを規制するので、取付板が外れることがなくなり水漏れや空気漏れのおそれを解消することができ故障の心配のない空気調和機を提供することができるものである。
【発明を実施するための最良の形態】
【０００６】
次に、この発明に係る空気調和機を図面に示された一実施例で説明する。１はセパレート式空気調和機の室内ユニットで、本体ベース２と前方の前面パネル３によって筐体を形成し、この筐体内には熱交換器４と送風ファン５等を備えている。
前記前面パネル３の更に前面は着脱自在のオープンパネル６によって覆われている。
【０００７】
また前面パネル３は上面に上吸込口７を、底面に吹出口８を備え、前記オープンパネル６の前面上部に前吸込口９を前面のやや下方に補助吸込口１０を設けている。
前記吸込口７・９・１０の内側には網目状のフィルタ１１を備え、吸込空気に含まれる埃を取り除くものである。
【０００８】
前記熱交換器４は前吸込口９と補助吸込口１０に対向する前側熱交換器１２と、上吸込口７から本体ベース２に向かって傾斜して配置された後側熱交換器１３と、前記前側熱交換器１２とフィルタ１１の間のほぼ中央に配置された補助熱交換器１４とから成るものである。
【０００９】
前記前側熱交換器１２は左エンドプレート１２ａと右エンドプレート１２ｂの間に多数のアルミニウム薄板１２ｃに銅パイプ１２ｄを貫通した後、この銅パイプの拡管と銅パイプ端部の溶接を行い形成するフィンチューブ式の熱交換器を使用するものであり、冷房運転時には蒸発器として低温になり、暖房運転時には凝縮器として高温となるものである。
【００１０】
前記後側熱交換器１３も左エンドプレート１３ａと右エンドプレート１３ｂの間に多数のアルミニウム薄板１３ｃに銅パイプ１３ｄを貫通した後、この銅パイプの拡管と銅パイプ端部の溶接を行い形成するフィンチューブ式の熱交換器を使用するものである。
また前側熱交換器１２と後側熱交換器１３の接する左右の上部は、右エンドプレート１２ｂ・１３ｂより突出する上舌部１２ｅ・１３ｅどうしと、左エンドプレート１２ａ・１３ａより突出する上舌部１２ｅ・１３ｅどうしを約５５度の角度で逆Ｖ字形にネジ止め固定されるものである。
【００１１】
また前記前側熱交換器１２の後側下方で右エンドプレート１２ｂに設けた下舌部１２ｆと後側熱交換器１３の前側下方に設けた下舌部１３ｆに設けた取付穴１４に右側方向より樹脂製の右取付板１５をネジ止めし、前側熱交換器１２の左エンドプレート１２ａ・１３ａの内側はＬ字形に折り曲げられると共に、折り曲げ高さが異なる凹部となる係合部１６を形成し、この係合部１６に対向する左取付板１７には左右方向に摺動自在に係合する溝部１８を設けている。
【００１２】
前記右取付板１５は右エンドプレート１２ｂ・１３ｂを固定後に、送風モータ（図示せず）を本体ベース２にネジ止め固定するものであり、左取付板１７は左エンドプレート１２ａ・１３ａを左右方向に摺動自在に係合すると共に、軸受け１９を本体ベース２にネジ止め固定するものである。
【００１３】
このように横方向の寸法のバラツキの大きな熱交換器４の右側面は強固に固定し、左側面は摺動自在に係合するので、極めてコンパクトに組み付けができるものであり、組立時のネジも少なくコストを下げることができるものである。
前記送風ファン５はクロスフローファンで、それぞれの熱交換器１２・１３の内側に設けられている。
【００１４】
前記本体ベース２の後側熱交換器１３下方には結露水を集めて排水する背面ドレンパン２０と、この背面ドレンパン２０と送風ファン５の送風をスムーズに吹出口８へ導くケーシング２１等を一体に設けている。
【００１５】
２２は前記前側熱交換器１２の下方に備えた前部ドレンパンで、結露水を集めるために断面Ｕ字形に形成され、前記背面ドレンパン２０からの結露水を受けるために、左右の両端は背面ドレンパン２０に向かって延長されている。前記前部ドレンパン２２の底面はケーシング２１に対向して送風ファン５のエアーガイダー２３を一体に設け、ケーシング２１との間に送風経路２４を形成している。そして左右の延長部２５の上面は前記左取付板１７または右取付板１５と密着して送風経路２４の空気が漏れないように形成され、更に延長部２５に備えた突起２６によって左右の取付板１５・１７の位置がずれない様に内側へ押圧するものである。また、突起２６は前部ドレンパン２２を組み付ける時に、組み付け安いように左右方向の三角形状にドレンパン２２の密着面に立設されている。
２７は上下風向板で上下の送風方向を調節し、運転停止時には自動的にルーバモータ（図示せず）にて吹出口８を閉じるものである。２８は左右風向板で左右の送風方向を調整するものである。
【００１６】
熱交換器の組み付け作業の手順について説明すれば、まず前側熱交換器１２と後側熱交換器１３を結合するが、手順としては右エンドプレートの上舌部１２ｅ・１３ｅどうしと、左エンドプレートより突出する上舌部１２ｅ・１３ｅどうしを約５５度の角度で逆Ｖ字形にネジ止め固定する。
次に前側熱交換器１２の右エンドプレート１２ｂに設けた下舌部１２ｆと後側熱交換器１３の下舌部１３ｆに設けた取付穴１４に右側方向より右取付板１５をネジ止めし、前側熱交換器１２の左エンドプレート１２ａ・１３ａの内側の凹部となる係合部１６を左取付板１７の溝部１８に左右方向に摺動自在に係合する。
【００１７】
次に右取付板１５を送風モータと一緒に本体ベース２にネジ止め固定し、左取付板１７も軸受け１９と一緒に本体ベース２にネジ止めするものであり、左取付板１７は左エンドプレート１２ａ・１３ａを左右方向に摺動自在に係合できるものである。
次に前部ドレンパン２２を延長部２５の左右一対の突起２６の間に左取付板１７と右取付板１５を左右方向の内側へ押圧固定した状態でケーシング２１にネジ止めするものである
【００１８】
このように横方向の寸法のバラツキの大きな熱交換器４の右側面は強固に固定し、左側面は摺動自在に係合し、極めて簡単にかつコンパクトに組み付けができるものであり、更に延長部２５の突起２６によって、流通段階での輸送時等に荷扱いが特に乱暴であった場合でも熱交換器と取付板の接続部分が外れて水漏れや空気漏れのおそれがなくなり、空気漏れが原因で発生する苦情も少なくなるものである。
【図面の簡単な説明】
【００１９】
【図１】この発明一実施例の側面の断面図。
【図２】同要部の展開斜視図。
【図３】同熱交換器を組み付けた状態の左側部分斜視図。
【図４】同要部の部分展開斜視図。
【図５】同要部の右側面図。
【図６】同要部の拡大断面図。
【図７】同要部の拡大斜視図。
【図８】同要部の拡大斜視図。
【符号の説明】
【００２０】
１２    前側熱交換器
１３    後側熱交換器
１２ａ・１３ａ    左エンドプレート
１２ｂ・１３ｂ    右エンドプレート
１５    右取付板
１６    係合部
１７    左取付板
１８    溝部
２２    前部ドレンパン
２５    延長部
２６    突起
【図１】
2009192086.tif 000003
【図２】
2009192086.tif 000004
【図３】
2009192086.tif 000005
【図４】
2009192086.tif 000006
【図５】
2009192086.tif 000007
【図６】
2009192086.tif 000008
【図７】
2009192086.tif 000009
【図８】
2009192086.tif 000010